(57)【要約】【課題】            本発明は、種々の薬効成分を膏体として布帛に塗布形成された外用貼付薬を患部に貼付するために用いる外用貼付薬用補助具に関し、装着に伴う患者の不快感低減を図り、貼付薬の脱落をも回避し得る補助具を提供することを目的とする。【解決手段】        不織布から成る帯部材の長尺方向の一方及び他方の端部に一対の係合部材を設け、この帯部材の略中央部に、外用貼付薬を係止する固定部を設けたことを特徴としている。また、この補助具においては、上述した帯部材に設けられた固定部での長尺方向における５％伸張時の強さを６０（Ｎ）以上とするのが好ましい。【選択図】          図１
2007202931.tif 000002
【特許請求の範囲】
【請求項１】
不織布から成る帯部材の長尺方向の一方及び他方の端部に一対の係合部材を設け、該帯部材の略中央部に、外用貼付薬を係止する固定部を設けたことを特徴とする外用貼付薬用補助具。
【請求項２】
前記帯部材に設けられた固定部での長尺方向における５％伸張時の強さが６０（Ｎ）以上であることを特徴とする請求項１に記載の外用貼付薬用補助具。
【請求項３】
前記固定部は帯部材に積層配置された他の不織布と、面ファスナー雄材とから成ることを特徴とする請求項１または請求項２に記載の外用貼付薬用補助具。
【請求項４】
前記帯部材の長尺方向における５％伸張時の強さが１５（Ｎ）以上であることを特徴とする請求項１〜請求項３の何れか１項に記載の外用貼付薬用補助具。
【請求項５】
前記帯部材の通気性が４０（ｃｍ３／ｃｍ２・ｓ）以上であることを特徴とする請求項１〜請求項４の何れか１項に記載の外用貼付薬用補助具。
【発明の詳細な説明】
【技術分野】
【０００１】
本発明は、種々の薬効成分を膏体として布帛に塗布形成した外用貼付薬（以下、単に貼付薬と称する場合もある）を使用する際に用いて好適な技術に関し、特に、背中、腰、肩など、患者自身では貼付することが難しい患部への適用に用いて好適な外用貼付薬用補助具に関するものである。
【背景技術】
【０００２】
従来から、例えば水性ゲルや合成ゴム等の粘着性を有する膏体に種々の薬効成分を配合し、編物、不織布などの布帛に塗布形成した外用貼付薬は、湿布薬、パップ剤などの名称で広く利用されている。係る外用貼付薬の寸法形状は、例えば成人の片手で貼付できる程度の矩形に設計されており、貼付直前までは膏体の塗布面に貼られた合成樹脂製のフィルムなどで被覆された形態で流通する。従前、肩こりや腰痛のような、一般生活で生じる痛みに対して、冷感や温感による血行不良の改善を目的とした民間療法的な用途が主流であったが、近年では、極めて効果の高い鎮痛剤やその他、種々の薬効成分を配合することで、広範に利用されている。
【０００３】
患者が上記貼付薬を貼付するに当たり、幾つかの問題が指摘されている。その１つは、膏体の粘着性に関わるものである。従前、織物や編物を基材とし、この基材に膏体を塗布することで外用貼付薬が構成されてきた。しかし、患部によっては、貼付された後に、患者の動作に追従する必要が有ることから、基材に伸縮性を有する編物、或いは外力によって構成繊維の捲縮を解消することで伸度を生ずる、所謂、高捲縮繊維で構成された伸縮性不織布が主流である。一般に、このような伸縮性を有する布帛は折り曲げやすい性質を持ち、「コシ」が低い。従って、貼着時に、流通段階で被覆されていたフィルムを剥離する際に、膏体面同士がくっついてしまい、膏体面の有効面積が減ってしまう場合があった。このような問題を改善するため、特開昭６４−１６７１９号公報（特許文献１）では、担持体と称される基材の、膏体を塗布形成した面とは反対の「背面」を、弱粘着性を有する外用部材支持具に仮着させた状態で、膏体表面を被覆するフィルムを剥離する技術が提案されている。
【０００４】
また、外用貼付薬の貼付に際しては、背中や肩など、患者自身が貼着することが難しく、適切な患部に貼着するには介助者を要する場合が少なくない。しかしながら、近年、介助を求めるのが困難な高齢化社会が背景にあり、様々な補助具が考案されている。その一例として、実用新案登録第３０９０７６９号公報（特許文献２）では、天然あるいは合成のゴムを貼り付けた帯状のゴム付布バンドの中央部と端部に補強台を設け、その上に面ファスナーを乗せ、全体を縫いつけて一体化した「湿布薬貼り付けバンド」が提案されている。
【０００５】
【特許文献１】特開昭６４−１９７１９号公報（［特許請求の範囲］）
【０００６】
【特許文献２】実用新案登録第３０９０７６９号公報（［実用新案登録請求の範囲］、［図１］）
【発明の開示】
【発明が解決しようとする課題】
【０００７】
上述した特許文献２の技術では、帯状の部材の略中央部に貼付薬を載置固定した状態で、例えば腰回りにあてがい、コルセットの様に患者自身が患部に貼付薬を適用することが可能である。しかしながら、補助具を構成する帯状の構成成分をゴム素材とした場合、通気性に乏しいために、装着後には蒸れを生じるという問題があった。さらに、このような実質的に通気性のないゴム素材が皮膚に直接触れるため、患者の体温との乖離に起因し、冬場には補助具が冷たくなるなど装着時に不快を感じる場合もある。また、一般に伸縮性を有する貼付薬と、補助具との伸度特性が異なる。このため、補助具の固定部に貼付薬を載置固定した後、腰回りに当該補助具をあてがうまでに固定状態の貼付薬に外力が加わって、補助具から貼付薬が脱落するという問題もあった。
【０００８】
本願発明者は、上述した従来技術に係る補助具を鋭意検討し、貼付薬の保持性や患部にあてがった後の装着感などを詳細に検討した結果、本発明を完成するに至った。従って、本発明は、装着に際しての患者に対する上記不快感を低減し、しかも、患者自身が患部に貼付薬を適用することが可能であって、安価な外用貼付薬用補助具を提供することを目的とするものである。
【課題を解決するための手段】
【０００９】
この目的の達成を図るため、本発明に係る外用貼付薬用補助具の構成によれば、不織布から成る帯部材の長尺方向の一方及び他方の端部に一対の係合部材を設け、この帯部材の略中央部に、外用貼付薬を係止する固定部を設けたことを主たる特徴としている。
【００１０】
また、本発明の実施に当たり、上述した帯部材に設けられた固定部での長尺方向における５％伸張時の強さは６０（Ｎ）以上とするのが好適である。ここに言う「５％伸張時の強さ」とは、ＪＩＳ  Ｌ１０９６『一般織物試験方法』（１９９９年４月２０日改訂版）に準じて測定される値である。
【００１１】
さらに、本発明に係る補助具は、上述した固定部が帯部材に積層配置された他の不織布と、面ファスナー雄材とから成ることが好ましい。
【００１２】
また、上述した帯部材の長尺方向における５％伸張時の強さは１５（Ｎ）以上とするのが好適であり、さらに、上述した帯部材の通気性は４０（ｃｍ３／ｃｍ２・ｓ）以上とするのが好ましい。尚、ここに言う「通気性」とは、上述した『一般織物試験方法』の「８．２７．１  Ａ法（フラジール形法）」に規定される測定手法に準じて得られる値である。
【発明の効果】
【００１３】
この発明の構成を適用することにより、その主たる素材を所定の特性を有する不織布で構成するため、患者の不快感低減を図りつつ、患者自身が外用貼付薬を患部に適用することができる。
【発明を実施するための最良の形態】
【００１４】
以下、図面を参照して、本発明の好適な形態につき説明する。図１は、好適形態としての外用貼付薬用補助具を概略的な平面により示す図である。
【００１５】
まず、本発明に係る補助具の全体形状を担う不織布製の帯部材１１には、その長尺方向の一方及び他方の端部に、夫々、係合部材１３ａまたは係合部材１３ｂが設けられ、これら係合部材は、所謂、一対の面ファスナーからなるものを例示している。詳細には、帯部材１１の図示表面側には、繊維製のループを表面に備えた布帛からなる面ファスナーの雌材が縫着され、係合部材１３ａが配置されている。また、帯部材１１の他方の端部であって、図示裏面側には、面ファスナーの雄材からなる係合部材１３ｂが配置されている。
【００１６】
また、この帯部材１１の略中央部には、他の不織布を好適材質とする固定部１５が縫着により設けられており、その図示表面側には、上述した係合部材１３ｂと同様な面ファスナー雄材１９が配置されている。さらに、帯部材１１の周囲には、その表面から裏面にかけてパイピング加工が施されることにより縁部２１が形成されている。この縁部２１は、帯部材１１の端部を折り返したのちに縫着形成しても良いが、意匠上の外観向上を図るため、別の布帛を用いるのが好ましい。
【００１７】
次いで、上述した各構成成分の機能、材質等につき、詳細に説明する。始めに、帯部材１１を構成する素材は、コストや後段で更に述べる好適要件から不織布とする必要があるが、従来知られている短繊維不織布または長繊維不織布から任意好適に選択することができる。しかしながら、耐久性の点から、ポリエステル、ポリプロピレン、ナイロンなどの熱可塑性合成樹脂から構成される繊維で調製されたものが好ましく、スパンボンドを始めとする長繊維不織布とするのが良い。この帯部材１１は、患部に貼付薬を貼着固定する際に、直接、皮膚に触れるものである。このため、不感蒸泄（安静時に皮膚から発散される水分蒸発量）に対処する目的で、所定の通気度を満たす必要がある。具体的には、先に述べたフラジール形法で測定される通気性は、４０（ｃｍ３／ｃｍ２・ｓ）以上、より好ましくは５０（ｃｍ３／ｃｍ２・ｓ）以上である。また、この帯部材１１は、補助具によって固定部１７に保持された貼付薬を患部に確実に適用するため、長尺方向での寸法変化は少ない方が望ましい。このため、帯部材１１を構成する材質は、その長尺方向における５％伸張時の強さは１５（Ｎ）以上とするのが好ましい。しかしながら、補助具を患部に適用した後には、例えば呼吸による胴回りの寸法変化に追従する必要があるため、５％伸張時の強さは、２５±１０（Ｎ）の範囲とするのが好適である。
【００１８】
次いで、本発明の好適補助具に備えられる固定部の構成に付き説明する。この固定部は、帯部材１１の略中央部のように貼付薬を固定する位置に設けられ、かつ、貼付薬を保持固定するために雄材１９が設けられる構成成分である。従って、当該固定部１５の機能は、伸縮性を有する貼付薬の基材と雄材１９との係合を阻害することなく、上述した帯部材１１の寸法融通性を確保することにある。この機能を果たすため、固定部１５を構成する素材は、上記係合力を維持するために、実質的に寸法変化を来さない素材を選択する必要がある。具体的には、固定部１５を帯部材１１に積層して構成する場合、これら２つの構成成分を積層した状態での５％伸張時の強さが６０（Ｎ）以上とするのが好適である。このような伸張時応力を発揮させるには、帯部材１１と同様な長繊維不織布が好適である。
【００１９】
尚、各素材の寸法形状、数値的条件などの特定条件は、上述した条件に限定されるものではなく、本発明の要旨を逸脱しない範囲で、任意好適に設計の変更及び変形を行うことができる。例えば、帯部材１１と固定部１５を構成する不織布とは、異なる色彩とすることによりコントラストを設け、貼付薬の固定部分の視認が容易となる。さらに、上述した形態の説明では、各構成成分の結合を何れも縫着として説明したが、結合素材が何れも熱可塑性の材料で有る場合には、超音波、高周波等の融着により行うこともできる。
【実施例】
【００２０】
以下、本発明の好適実施例の説明として、上述した図１に示す形状で作製した補助具の評価結果につき説明する。まず、評価に用いた補助具は、以下の主要素材で作製した。
・帯部材：市販のスパンボンドＡ
面密度；９４．０（ｇ／ｍ２）
厚さ［１００ｇ／５ｃｍ２荷重時］；０．５０（ｍｍ）
５％伸張時の強さ；３９．８（Ｎ）
通気性；６３．８（ｃｍ３／ｃｍ２・ｓ）
・固定部：市販のスパンボンドＢ
面密度；１０４．５（ｇ／ｍ２）
厚さ［１００ｇ／５ｃｍ２荷重時］；０．５７（ｍｍ）
５％伸張時の強さ［スパンボンドＡ，Ｂの積層時］；６７．９（Ｎ）
【００２１】
また、この他、係合部材１３ｂと雄材１９とは、市販されているキノコ状の突起の頭部に樹状の突起が設けられた面ファスナー雄材を用い、係合部材１３ａには、当該面ファスナー雌材と組み合わせて販売されている編み構造を有する布帛を用いた。
【００２２】
これら素材を図１に示す形状で、長尺方向に約１０２０ｍｍ、これとは直交する方向に高さ２８５ｍｍで湾曲した外径を持つ様に帯部材１１を裁断した。この際、帯部材の幅は略中央部分で高さ２２５ｍｍとし、その端部での幅は１６０ｍｍの寸法とした。次いで、係る帯部材１１の一方の端部には長尺方向に２００ｍｍ、帯部材の幅方向に１００ｍｍの寸法を有する面ファスナー雌材を係合部材１３ａとして縫着し、他方の端部には長尺方向で５０ｍｍ、帯部材の幅方向に１００ｍｍの寸法に裁断された面ファスナー雄材を係合部材１３ｂとして縫着形成した。また、帯部材１１の中央には、当該部材１１と重ねて、上述したスパンボンドＢからなる１２０ｍｍ×１７０ｍｍの固定部を縫着すると共に、この固定部を構成するスパンボンドＢからなる部材表面には、２０ｍｍ×１４０ｍｍの面ファスナー雄材２本を、互いに平行な配置関係で縫着し、実施例に係る補助具とした。
【００２３】
また、比較例として、上述したスパンボンドＢからなる固定部を設けなかったことを除いては、実施例と同様な補助具を作製した。
【００２４】
これら２つの補助具に、市販の貼付薬を固定保持し、複数のモニターにより腰回りに装着評価したところ、比較例に係る補助具では、補助具を装着するために両端部を引っ張った時点で貼付薬が脱落する傾向にあったが、実施例に係る補助具では、係る不具合は認められなかった。さらに、何れの補助具においても、皮膚に直接触れる帯部材が所定の通気性を有することから、着衣後においても蒸れることが無く、また、貼付薬が触れる患部を除いては装着時に冷たさを感じることもなかった。
【図面の簡単な説明】
【００２５】
【図１】本発明の好適実施形態を説明するため、外用貼付薬補助具の概略平面により示す図である。
【符号の説明】
【００２６】
１１：帯部材、１３ａ，１３ｂ：係合部材、１５：固定部、１７：支持片、
１９：（面ファスナーの）雄材、２１：縁部。
【図１】
2007202931.tif 000003